(57)【特許請求の範囲】
【請求項１】
治療者に高電圧を印加して治療する電位治療器の電源装置において、前記電源装置の高電圧出力端子の取付部近傍のパネルと接地間に設けられたリーク電流を検出するリーク電流検出部と、該リーク電流検出部に所定値以上のリーク電流が流れたことを検知したときオン動作するスイッチ素子と、該スイッチ素子の動作回路に設けられ、該スイッチ素子の動作時に前記電源装置の入力電源を開放する接点を有する継電器とを備え、前記電源装置の高電圧出力端子と前記パネルとの間に流れるリーク電流が所定値を超えたとき前記電源装置の入力電源を前記継電器の接点により遮断するようにしたことを特徴とする電位治療器の電源装置。
【請求項２】
治療者に高電圧を印加して治療する電位治療器の電源装置において、前記電源装置の高電圧出力端子の取付部近傍のパネルと接地間に設けられたリーク電流を検出するリーク電流検出部と、該リーク電流検出部に所定値以上のリーク電流が流れたことを検知したときオン動作するスイッチ素子と、該スイッチ素子の動作回路に設けられ、該スイッチ素子の動作時に点灯する発光素子とを備え、前記電源装置の高電圧出力端子と前記パネルとの間に流れるリーク電流が所定値を超えたとき前記発光素子を点灯させ異常状態を報知するようにしたことを特徴とする電位治療器の電源装置。
【請求項３】
治療者に高電圧を印加して治療する電位治療器の電源装置において、前記電源装置の高電圧出力端子の取付部近傍のパネルと接地間に設けられた第１の所定値以上のリーク電流を検出する第１のリーク電流検出部と、該第１のリーク電流検出部に並列に設けられた前記第１の所定値よりも大きい第２の所定値以上のリーク電流を検出する第２のリーク電流検出部と、前記第１のリーク電流検出部に前記第１の所定値以上のリーク電流が流れたことを検知したとき動作する第１のスイッチ素子と、該第１のスイッチ素子の動作回路に設けられ、該第１のスイッチ素子の動作時に点灯する発光素子と、前記第２のリーク電流検出部に前記第２の所定値以上のリーク電流が流れたことを検知したとき動作する第２のスイッチ素子と、該第２のスイッチ素子の動作回路に設けられ、該第２のスイッチ素子の動作時に前記電源装置の入力電源を開放する接点を有する継電器とを備え、前記電源装置の高電圧出力端子と前記パネルとの間に流れるリーク電流が前記第１の所定値を超えたとき前記発光素子を点灯せしめて異常状態を表示すると共に、前記リーク電流が前記第２の所定値を超えたとき前記電源装置の入力電源を遮断するようにしたことを特徴とする電位治療器の電源装置。
【請求項４】
前記発光素子の動作電力供給側に設けられ、前記リーク電流検出部又は第１のリーク電流検出部に所定値以上のリーク電流が流れて前記発光素子が点灯され得る状態にあるとき、前記発光素子に所定の周期で電力供給を行う発振回路を設け、前記リーク電流が所定値を超えたとき該発振回路により前記発光素子を点滅動作せしめるようにした請求項２又は３に記載の電位治療器の電源装置。
【請求項５】
治療者に高電圧を印加して治療しているとき、該高電圧の印加中であることを示すランプを点灯せしめるようにした電位治療器の電源装置において、前記電源装置の高電圧出力端子の取付部近傍のパネルと接地間に設けられたリーク電流を検出するリーク電流検出部と、該リーク電流検出部に所定値以上のリーク電流が流れたことを検知したときオン動作する第１のスイッチ素子と、該第１のスイッチ素子の動作回路に接続され、該第１のスイッチ素子がオフ状態にあるときオン動作となる第２のスイッチ素子と、前記第１のスイッチ素子がオン状態にあるとき所定の周期でオン・オフ動作して前記第２のスイッチ素子をオン・オフ動作せしめる発振回路と、前記第２のスイッチ素子の動作回路に設けられ、該第２のスイッチ素子のオン・オフ動作に基づいて前記ランプの電源回路を開閉する接点を有する継電器とを備え、前記電源装置の高電圧出力端子と前記パネルとの間に流れるリーク電流が所定値を超えたとき前記継電器を断続動作せしめ、該継電器の接点動作により前記ランプを点滅動作させて異常状態を報知するようにしたことを特徴とする電位治療器の電源装置。
【請求項６】
治療者に高電圧を印加して治療しているとき、該高電圧の印加中であることを示すランプを点灯せしめるようにした電位治療器の電源装置において、前記電源装置の高電圧出力端子の取付部近傍のパネルと接地間に設けられた第１の所定値以上のリーク電流を検出する第１のリーク電流検出部と、該第１のリーク電流検出部に並列に設けられた前記第１の所定値よりも大きい第２の所定値以上のリーク電流を検出する第２のリーク電流検出部と、前記第１のリーク電流検出部に前記第１の所定値以上のリーク電流が流れたことを検知したとき動作する第１のスイッチ素子と、該第１のスイッチ素子の動作回路に設けられ、該第１のスイッチ素子のオフ状態にあるときオン動作となる第２のスイッチ素子と、前記第１のスイッチ素子がオン状態にあるとき所定の周期でオン・オフ動作して前記第２のスイッチ素子をオン・オフ動作せしめる発振回路と、前記第２のスイッチ素子の動作回路に設けられ、該第２のスイッチ素子のオン・オフ動作に基づいて前記ランプの電源回路を開閉する接点を有する第１の継電器と、前記第２のリーク電流検出部に前記第２の所定値以上のリーク電流が流れたことを検知したとき動作する第３のスイッチ素子と、該第３のスイッチ素子の動作回路に設けられ、該第３のスイッチ素子の動作時に前記電源装置の入力電源を開放する接点を有する第２の継電器とを備え、前記電源装置の高電圧出力端子と前記パネルとの間に流れるリーク電流を前記第１のリーク電流検出部及び前記第２のリーク電流検出部で検出し、前記リーク電流が前記第１のリーク電流検出部の検出値を超えたときに前記第１の継電器を断続動作せしめ、該第１の継電器の接点動作により前記ランプを点滅動作させて異常状態を報知するようにすると共に、前記リーク電流が前記第２のリーク電流検出部の検出値を超えたとき前記第２の継電器を動作せしめ、該第２の継電器の接点により前記電源装置の入力電源を遮断するようにしたことを特徴とする電位治療器の電源装置。
【請求項７】
治療者に複数種類の高電圧の中から選択して印加できるようにすると共に、該複数種類の高電圧に対応して点灯するランプを備えた、請求項３又は６に記載の電位治療器の電源装置。
【請求項８】
前記電源装置の高電圧出力端子と取付部近傍のパネルとの間に発生する瞬間的な放電電流を、前記リーク電流検出部で検出する所定時間単位における平均リーク電流として検出するようにした請求項１，２，３，４，５又は６に記載の電位治療器の電源装置。
【請求項９】
前記電源装置の高電圧出力端子の取付部近傍のパネルと接地間に設けられた所定値以上のリーク電流を検出する前記リーク電流検出部を、電流検出抵抗により構成した請求項１，２，３，４，５，６，７又は８に記載の電位治療器の電源装置。
【請求項１０】
前記電源装置の高電圧出力端子の取付部近傍のパネルと接地間に設けられた所定値以上のリーク電流を検出する前記リーク電流検出部を、トランスの二次側電流として検出するように構成した請求項１，２，３，４，５，６，７又は８に記載の電位治療器の電源装置。
【請求項１１】
前記リーク電流が所定値以上を検出したときに報知する前記発光素子に替えて、ブザなどの可聴表示装置とした請求項１，２，３，４，５，６，７，８，９又は１０に記載の電位治療器の電源装置。
【発明の詳細な説明】
【０００１】
【発明の属する技術分野】
本発明は、電位治療器の電源装置における高圧電源の出力端子であるコネクタ部において、リークが発生する場合のリーク電流監視機能回路を備えた電位治療器の電源装置に関するものである。
【０００２】
【従来の技術】
血行をよくして肩凝りなどを治療する方法として、高電圧を利用する物理療法があり、その治療器が市販されている。この電位治療器の電源装置の基本的構成としては、例えば図１２〜図１４に示すようなものがある。図１２は電位治療器の使用例の模式図であり、絶縁シート１の上に、シート状電極板２が座部におかれた椅子３を置き、この上に被治療者４を座らせて、電極板２と接地間に電源装置５の電源トランスＴ1 により高電圧、例えば５０００〜１００００Ｖの交流電圧を、電流制限用の高抵抗Ｒ1 を通してその出力端子であるコネクタ６から接続コード７を介して印加することにより行なうものである。また、椅子３を用いないで、絶縁シート１の上にシート状電極板２を敷いて、その上に被治療者４を座らせ、或いは横たわせるなど適当な姿態で治療することもできる。なお、８は電源用のプラグであり、図示していない商用電源のコンセントから電力供給を受ける。
【０００３】
この電源装置５の出力電圧の交流電圧波形は、治療経験から図１３に示すように負極性の波高値に対して正極性側の波高値が小さい交流電圧の印加が効果的である。この電源装置５の一例の回路図を図１４に示す。この電源装置は、電源トランスＴに直列接続されたダイオードＤ1 と抵抗Ｒ2 との並列回路、及びコネクタ６のジャック側の出力端子ｔ1 と接地間に接続された抵抗Ｒ3 と、ダイオードＤ1 と抵抗Ｒ2 との並列回路に直列接続された電流制限用の高抵抗Ｒ1 とから構成されている。
【０００４】
この電源回路５の動作は、電源トランスＴ1 の出力端子ｔ1 の電圧特性が図中＋のときダイオードＤ1 が阻止作用を呈して、抵抗Ｒ2 により抵抗Ｒ3 に流れる電流を大きく制限し、また出力端子ｔ1 の電圧極性が図中−のときダイオードＤ1 のオンにより、抵抗Ｒ2 を短絡して抵抗Ｒ3 に大きい電流を流すようにして、出力端子ｔ1 と接地間に前記図１３に示すように負極性側の波高値に対して正極性側の波高値が小さい正負非対称の電圧を出力するようにしたものである。
【０００５】
【発明が解決しようとする課題】
このような電源装置５におけるコネクタ取付部は、図１５に示す部分拡大模式図ように、シート状電極板２に接続するコネクタ６の筐体側のジャック６１は、多くの場合金属性の筐体の前面パネル９に取り付けられているため、長期間使用することによりジャック６１の高電圧の出力端子ｔ1 と電源装置５のパネル９との間にほこり（塵埃）の付着や湿気などによるリーク物質１０により、絶縁の低下を起こしリーク電流が流れることがある。なお、１２は抵抗Ｒ1 と端子ｔ1 との間を接続するリード線である。
【０００６】
そのため、▲１▼リーク部分にサビを生じ、コネクタ接続に接触不良を起こしたり、▲２▼リーク部分に放電が生じると、放電によるザージ電流により電子部品が影響を受け、例えば高電圧の印加時間を設定するタイマー回路に誤動作を生じることがある。▲３▼また、リーク物質１０相互間のリーク電流や放電電流により、リーク部分が発熱を生じ絶縁物を溶かすことにもなり、更に進行すると該当部分が焦げたり、火災に発展する危険性もある。
【０００７】
従来は、このような出力端子のコネクタ６部分にリークが生じていることを把握できず、例えばタイマーの誤動作の原因が、コネクタ６部分の絶縁低下によるサージ電流によるということが不明であったり、また、極めて希なことではあるが、リーク電流による発熱状態にあり、事故発生の可能性のある危険な状態にあるということも知ることができなかった。
本発明は、高電圧のた出力端子と筐体又はパネル間において、リーク電流が生じていることを監視することにより、誤動作の原因の究明を迅速に行えるようにすると共に、サビの発生や、発熱による事故発生などを未然に防止し得る、リーク発生の検出回路を設けるようにしたものである。
【０００８】
【課題を解決するための手段】
本願の第１の発明による電位治療器の電源装置は、治療者に高電圧を印加して治療する電位治療器の電源装置において、前記電源装置の高電圧出力端子の取付部近傍のパネルと接地間に設けられたリーク電流を検出するリーク電流検出部と、該リーク電流検出部に所定値以上のリーク電流が流れたことを検知したときオン動作するスイッチ素子と、該スイッチ素子の動作回路に設けられ、該スイッチ素子の動作時に前記電源装置の入力電源を開放する接点を有する継電器（リレー）とを備え、前記電源装置の高電圧出力端子と前記パネルとの間に流れるリーク電流が所定値を超えたとき前記電源装置の入力電源を前記継電器の接点により遮断するようにしたものである。
【０００９】
本願の第２の発明による電位治療器の電源装置は、治療者に高電圧を印加して治療する電位治療器の電源装置において、前記電源装置の高電圧出力端子の取付部近傍のパネルと接地間に設けられたリーク電流を検出するリーク電流検出部と、該リーク電流検出部に所定値以上のリーク電流が流れたことを検知したときオン動作するスイッチ素子と、該スイッチ素子の動作回路に設けられ、該スイッチ素子の動作時に点灯する発光素子とを備え、前記電源装置の高電圧出力端子と前記パネルとの間に流れるリーク電流が所定値を超えたとき前記発光素子を点灯させ異常状態を報知するようにしたものである。
【００１０】
【発明の実施の形態】
図１は本発明に係る電位治療器の電源装置におけるリーク電流検出回路１１の一実施例であり、電源装置５の内部に設けられるものである。図１において１２は接続コードであり、電源装置５のコネクタ６が取り付けられているパネルのその近傍に接続される。Ｒ4 はリーク電流検出用抵抗、Ｃ1 は交流分消去用コンデンサ、Ｔr1はスイッチ素子としてのトランジスタ，Ｒ5 は電流制限用抵抗、ＬＥＤは発光ダイオードである。なお、図１の回路は、リーク電流の直流分を検出してそのリーク電流が所定値を越えて検出されたとき、発光ダイオードＬＥＤを点灯させるものである。
【００１１】
この回路において、高電圧の出力端子ｔ1 が接続されるコネクタ６と、電源装置５筐体のパネルとの間でリークが生じている場合、このリーク電流をパネルと接地間に設けられた電流検出用抵抗Ｒ4 で検出するものであり、検出電流としては、３０〜１００μＡ程度の範囲の所要のリーク電流を検出するものである。例えば、治療用高電圧を１００００Ｖ、トランジスタＴr1の動作電圧を３Ｖ、検出すべきリーク電流を３０μＡとした場合は、電流検出用抵抗Ｒ4 の抵抗値を１００ｋΩ程度とすることになる。従って、この場合は、リーク電流が３０μＡ以上になると、トランジスタＴr1がオン動作して発光ダイオードＬＥＤを点灯させ、電源装置５のコネクタ６とパネル間に所定値以上のリーク電流が流れている異常状態にあることを知ることができる。
【００１２】
【実施例】
図２は、リーク電流検出回路１１の他の実施例であり、高電圧の交流分を検出して、リーク電流が予め設定されたトランジスタＴr1の動作電圧以上になると、トランジスタＴr1がオン状態になり、発光ダイオードＬＥＤを点灯させるものである。
【００１３】
図３は、リーク電流検出回路１１の他の実施例であり、図１と同じく高電圧の直流分を検出するものであるが、直流分の検出にプラス（＋）電源を用いる回路例である。回路動作は、リーク電流が零又は所定値以下のときはトランジスタＴr1はオン、トランジスタＴr2はオフであるため発光ダイオードＬＥＤは滅火状態にあるが、リーク電流が所定値以上になるとトランジスタＴr1はオフ、トランジスタＴr2はオンとなり、発光ダイオードＬＥＤが点灯し、異常状態を報知する。
【００１４】
図４は、リーク電流検出回路１１の他の実施例を示すものであり、トランスＴ2 の一次側で検出されるリーク電流をトランスＴ2 の二次側で交流電圧として検出し、所定の電圧を超えたときとランジスタＴr1をオンとして、発光ダイオードＬＥＤを点灯させ異常状態であることを報知するようにしたものである。
【００１５】
図５は、リーク電流検出回路１１の他の実施例を示すものであり、特にリーク電流が瞬間的に大きな電流となる放電電流として検出されるような場合に適している。即ち、抵抗Ｒ4 で検出されるリーク電流を、ダイオードＤ2 ，Ｄ3 とコンデンサＣ1 により直流に整流した後、抵抗Ｒ8 ，Ｒ9 とコンデンサＣ3 により直流の変動分として取出すようにしたものであり、この直流電圧が所定値を超えたときトランジスタＴr1をオンとして、発光ダイオードＬＥＤを点灯させ異常状態であることを報知するようにしたものである。
【００１６】
図６は、リーク電流が所定の電流値以上流れたときに点灯する発光ダイオードＬＥＤを、点滅点灯するようにしたリーク電流検出回路１１の一実施例の回路を示すものである。即ち、図３に示したリーク電流検出回路１１の発光ダイオードＬＥＤのプラス（＋）電源側に、電源供給を断続させるためのインバータＩＣ1 ，ＩＣ2 、抵抗Ｒ10，Ｒ11、コンデンサＣ4 から構成された発振回路１３を設けたものであり、発光ダイオードＬＥＤを点滅させることにより注意を喚起するようにして、電位治療器の扱者に対して異常状態が発生したことを報知するようにしたものである。
【００１７】
なお、前述したように図６の回路例は、図３の回路例に対して、発光ダイオードＬＥＤを点滅させる発振回路１３を設けたものであるが、図１，図２，図３，図４に示したリーク電流検出回路１１の実施例においても、同様な技術手段により発光ダイオードＬＥＤを点滅させることができる。また、異常状態を報知する表示器として発光ダイオードＬＥＤの例を示したが、他の発光素子を用いてもよい。
【００１８】
図７は、リーク電流が所定の電流値以上流れたことを知らせる表示装置に発光ダイオードＬＥＤを用いないで、電位治療器の電源装置５の高電圧印加時に点灯するパイロットランプを点滅させることにより、異常状態を報知するようにした回路例である。即ち、図７は電源装置５とリーク電流検出回路１１との回路例を示すもので、電源装置５のＳ1 は電源スイッチ、Ｌは高電圧印加時に点灯するパイロットランプ、ｒs1は後述するリーク電流検出回路１１に設けられた継電器（以下リレーという）ＲＬ1 のメーク接点である。また、リーク電流検出回路１１にはリレーＲＬ1 と、このリレーＲＬ1 に電源を供給するトランジスタＴr3と、このトランジスタＴr3のオン・オフ動作を制御してリレーＲＬ1 を断続動作させる図６に示したと同じ発振回路１３を設けてある。
【００１９】
図７において、電源スイッチＳ1 が投入され、電位治療器が動作状態にある場合で、リーク電流検出用抵抗Ｒ4 にリーク電流が流れていないか、所定値以下のときは、トランジスタＴt1がオフ状態にある。そのため発振回路１３は発振動作を停止しているが、トランジスタＴr3には電源を供給してオン状態にしてリレーＲＬ1 を動作させ、そのメーク接点ｒs1の閉成によりランプＬは点灯状態にある（図示の状態）。しかし、コネクタ６１の部分でリークが生じて所定値以上のリーク電流がリーク電流検出用抵抗Ｒ4 に流れると、トランジスタＴr1がオンとなり、発振回路１３が動作することにより、トランジスタＴr3をオン・オフ動作せしめ、リレーＲＬ1 の断続動作によりそのメーク接点ｒs1をオン・オフ動作させ、電源装置５のパイロットランプＬを点滅させるようにしたものである。
【００２０】
なお、電源装置５の治療用高電圧を、例えば６０００Ｖ，８０００Ｖ，１００００Ｖの３種類に切り替えて使用できるものである場合は、図８に示すように電源トランスＴ1 の一次巻線側からａ，ｂ，ｃのタップを取り、ロータリースイッチＳ2 等で切り替えるようにすると共に、それぞれの電圧に対応するランプＬa ，Ｌb ，Ｌc の回路を、ロータリースイッチＳ2 と連動動作するスイッチＳ3 により切り替え、６０００ＶはランプＬa ，８０００ＶはランプＬb ，１００００ＶはランプＬc を点灯させるようにしてある。
このような電源装置５の場合は、ランプＬa ，Ｌb ，Ｌc の共通接続側に図７に示したリレーＲＬ1 の接点ｒs1を設け、いずれの高電圧の治療時においてリークが発生したとしても、点灯中のランプが点滅状態に変りリーク電流が所定値を超えて流れていることを検知できるものである。
【００２１】
前述した各実施例は、リーク電流が例えば３０μＡの所定値を超えたことをリーク電流検出回路１１で検出したとき、電源装置５に設けた例えば発光ダイオードＬＥＤを点灯又は点滅させたり、或いは高電圧の印加中であることを示すパイロットランプＬを点滅させることにより、電位治療器の取扱者にリーク電流が所定値以上流れているを報知するようにしたものであるが、リーク電流が所定値を超えたとき電源装置５の入力電源を切断するようにしてもよい。この実施例を図９により説明する。
【００２２】
図９は電源装置５とリーク電流検出回路１１との回路例を示すもので、図９におけるリーク電流検出回路１１は、図２で示したように、高電圧の交流分を検出してリーク電流が予め設定されたトランジスタＴr1の動作電圧以上になると、トランジスタＴr1がオン状態になり、トランジスタＴr2をオンとしてリレーＲＬ2 動作させるものである。このリレーＲＬ2 の動作により電源装置５の入力電源をリレーＲＬ2 のブレーク接点ｒs2により開放し、入力電源を切断すると共に、リレーＲＬ2 のメーク接点ｒs3でリレーＲＬ2 の自己保持回路を形成するようにしたものである。
【００２３】
図１０は、リーク電流が所定値を超えて検出されたとき、電源装置５の入力電源をリレーＲＬ2 のブレーク接点ｒs2で開放する他の実施例を示すものである。この実施例のリーク電流検出回路１１のリーク電流検出部は、図４と同様にトランスＴ2 を用い、その二次側の検出電圧が所定値を超えたとき、トランジスタＴr1をオンとし、更にトランジスタＴr2をオンとしてリレーＲＬ2 を動作させ、図９に示したリレーＲＬ2 のブレーク接点ｒs2を開放して、入力電源を切断するようにしたものである。
【００２４】
図１１は、リーク電流が第１の所定値を超えたとき、発光ダイオードＬＥＤを点灯させて報知すると共に、リーク電流が第１の所定値より大きい第２の所定値を超えたときには、リレーＲＬ2 のブレーク接点ｒs2により電源装置５の入力電源を切断するようにしたものである。
即ち、パネルと接地間にリーク電流の検出回路を並列に２通り設けたものであり、リーク電流が第１の所定値の例えば３０μＡを超えたことを抵抗Ｒ4 により検出されたとき、トランジスタＴr1をオン動作させて発光ダイオードＬＥＤを点灯させ、更にリーク電流が第２の所定値の例えば６０μＡを超えたことを抵抗Ｒ14により検出されたとき、トランジスタＴr4をオン動作させた後、トランジスタＴr5をオン動作させ、図９において説明したと同様にリレーＲＬ2 のブレーク接点ｒs2を開放して、入力電源を切断するようにしたものである。
【００２５】
なお、図９，図１０に示した実施例のように、リーク電流が所定値を超えて検出されたとき入力電源を切断するようにしたものがあるが、この場合は、例えば図１又は図２などのリーク電流が所定値を超えたときに発光ダイオードＬＥＤを点灯させるリーク電流検出回路１１を設けると共に、電源装置５に別個に設けられた図示していない押釦スイッチを電位治療器の扱者が押圧操作すことにより、発光ダイオードＬＥＤを点灯させて、入力電源の切断はリーク電流が所定値以上流れているためであることを確認できるようにしてもよい。なお、この場合、扱者が押釦スイッチを押圧操作しても、リーク電流を検出する発光ダイオードが点灯しないときは、他の原因により電源が切断されたことが把握される。
【００２６】
電位治療器の電源装置における出力端子ｔ1 が接続されているコネクタ６と、当該電源装置５のパネルとの間にリークが生じた場合、このリーク電流は、電源装置５の電源スイッチＳ1 の投入直後が大きく、時間の経過と共に減少する傾向があ。従って、電源投入時点からタイマー装置（図示していない）により一定時間経過後のリーク電流を検出するようにして、実際の使用状態におけるリーク電流の多少によって、異常状態を報知するようにしてもよい。
【００２７】
また、リーク電流が所定値を超えた異常状態の検出又は報知を、異常状態検出用の発光ダイオードＬＥＤの点灯又は点滅により、或いは治療用高電圧の印加状態を示すパイロットランプＬの点滅により行う可視表示の例を示したが、前述の異常状態を検出したとき、ブザ等を鳴動させる可聴表示による報知にしてもよい。また、発光ダイオードＬＥＤ等の可視表示とブザなどの可聴表示とを併用することもできる。
【００２８】
【発明の効果】
本発明による電位治療器の電源装置は、前述したように高電圧出力端子が接続されるコネクタと、このコネクタが取付けられたパネルとの間に、所定値以上のリーク電流が流れたとき電源装置の入力電源を切断したり、或いは発光ダイオードなどにより検知することができるので、このリーク部分の塵埃や湿気の除去・清掃により、▲１▼リーク部分に発生し易いサビ発生の防止、▲２▼リーク部分の放電等による電子部品への影響の未然防止、▲３▼リーク部分の発熱による発煙等の発生防止など、従来製品では認識又は把握することのできなかったリークによる悪影響を、本発明により事故発生前に把握することができ、必要な対策を講じ得る効果を奏するものである。
【図面の簡単な説明】
【図１】本発明の電源装置に設けられるリーク電流検出回路の一実施例を示す回路図である。
【図２】本発明の電源装置に設けられるリーク電流検出回路の他の実施例を示す回路図である。
【図３】本発明の電源装置に設けられるリーク電流検出回路の他の実施例を示す回路図である。
【図４】本発明の電源装置に設けられるリーク電流検出回路の他の実施例を示す回路図である。
【図５】本発明の電源装置に設けられるリーク電流検出回路の他の実施例を示す回路図である。
【図６】本発明の電源装置に設けられるリーク電流検出回路の他の実施例を示す回路図である。
【図７】本発明の電源装置に設けられるリーク電流検出回路の他の実施例を示す回路図である。
【図８】本発明が用いられる他の電源装置の回路図である。
【図９】本発明の電源装置に設けられるリーク電流検出回路の他の実施例を示す回路図である。
【図１０】本発明の電源装置に設けられるリーク電流検出回路の他の実施例を示す回路図である。
【図１１】本発明の電源装置に設けられるリーク電流検出回路の他の実施例を示す回路図である。
【図１２】従来の電位治療器の一例を示す模式図である。
【図１３】従来の電位治療器における高電圧波形図の一例である。
【図１４】従来の電位治療器の電源部の一例を示す回路図である。
【図１５】電位治療器の電源部のコネクタ取付部の部分拡大模式図である。
【符号の説明】
１  絶縁シート
２  電極板
３  椅子
４  被治療者
５  電源装置
６  コネクタ
７  接続コード
８  電源用プラグ
９  パネル
１０  リーク物質
１１  リーク電流検出回路
１２  リード線
１３  発振回路
６１  ジャック
Ｔ1 ，Ｔ2   電源トランス
Ｒ1 ，Ｒ2 ，Ｒ3 ，Ｒ4 ，Ｒ5 ，Ｒ6 ，Ｒ7 ，Ｒ8 ，Ｒ9 ，Ｒ10，Ｒ11，Ｒ12，Ｒ13、Ｒ14  抵抗
Ｃ1 ，Ｃ2 ，Ｃ3 ，Ｃ4 ，Ｃ5   コンデンサ
Ｄ1 ，Ｄ2 ，Ｄ3 ，Ｄ4   ダイオード
Ｔr1，Ｔr2，Ｔr3，Ｔr4，Ｔr5  トランジスタ
ＬＥＤ  発光ダイオード
Ｓ1   電源スイッチ
Ｓ2 ，Ｓ3   ロータリースイッチ
Ｌ，Ｌa ，Ｌb ，Ｌc   パイロットランプ
ＲＬ1 ，ＲＬ2   継電器（リレー）
ｒs1  リレーＲＬ1 のメーク接点
ｒs2  リレーＲＬ2 のブレーク接点
ｒs3  リレーＲＬ2 のメーク接点
【図１】
0004600965.tif 000002
【図２】
0004600965.tif 000003
【図３】
0004600965.tif 000004
【図４】
0004600965.tif 000005
【図５】
0004600965.tif 000006
【図６】
0004600965.tif 000007
【図７】
0004600965.tif 000008
【図８】
0004600965.tif 000009
【図９】
0004600965.tif 000010
【図１０】
0004600965.tif 000011
【図１１】
0004600965.tif 000012
【図１２】
0004600965.tif 000013
【図１３】
0004600965.tif 000014
【図１４】
0004600965.tif 000015
【図１５】
0004600965.tif 000016